(57)【要約】【課題】低コストで製造することができるとともに、より高品質のビードコア及びこれを用いた空気入りラジアルタイヤを提供すること。【解決手段】ビードワイヤ２１の一端部２１ａと他端部２１ｂとを含むように周方向の一部分に糸２２を巻着する。このとき、糸２２の一端部２２ａが、同糸２２とビードワイヤ束３０との間に挟み込まれ、前記糸２２の他端部２２ｂが、生タイヤの加硫時に、糸２２に作用する回転力によって巻き締まる方向（矢印Ａ方向）となるように糸２２を巻回する。【選択図】    図３
2004345537.tif 000002
【特許請求の範囲】
【請求項１】
ビードワイヤの一端部と他端部とを含むように周方向の一部分に糸が巻着されているビードコアにおいて、
前記糸の一端部を、同糸とビードワイヤ束との間に挟み込み、前記糸の他端部は、生タイヤの加硫時に、糸に作用する回転力によって巻き締まる方向となるように巻回されていることを特徴とするビードコア。
【請求項２】
前記糸は、熱収縮性の合成繊維よりなることを特徴とする請求項１に記載のビードコア。
【請求項３】
ビードワイヤの一端部と他端部との間の重複部分の長さは、１０〜２０ｍｍの範囲内であるとともに、糸の巻き付け部分の一端部と、それと近い方のビードワイヤの一端部との間の距離は、２０〜６０ｍｍの範囲内であることを特徴とする請求項１または２に記載のビードコア。
【請求項４】
前記糸とビードワイヤ束との間に挟み込まれている同糸の一端部の長さは、前記糸の巻き付けピッチよりも長く、前記糸の巻き付け幅の二分の一よりも短いことを特徴とする請求項１〜３のいずれか一項に記載のビードコア。
【請求項５】
請求項１〜４のいずれか一項に記載のビードコアを用いた空気入りラジアルタイヤ。
【発明の詳細な説明】
【０００１】
【発明の属する技術分野】
この発明は、ビードコア及びそれを用いた空気入りラジアルタイヤに関するものである。
【０００２】
【従来の技術】
一般に、空気入りラジアルタイヤのビードコアとしては、単線のビードワイヤを複数回連続巻回して製造されるものが知られている（例えば、特許文献１参照）。この場合、図５に示すように、ビードワイヤ１０３の一端部１０３ａと他端部１０３ｂとが重複するようにビードワイヤ１０３を巻回し、これらを含むビードワイヤ束２００の一部分に、糸１０４を巻着して、ビードワイヤ１０３の両端部１０３ａ，１０３ｂが跳ね上がらないようにしている。
【０００３】
さて、図４にその一部を示すように、生タイヤを加硫する際には、加硫金型内の生タイヤの内部に圧力Ｐが加えられるとともに、矢印Ｚで示すようにビード部１００間の間隔が狭められる。そして、この加硫時には、前記圧力Ｐと、ビード部１００間の間隔が狭められることによる相乗作用により、ボディプライ１０１が移動させられる。すなわち、ビード部１００におけるボディプライ１０１のタイヤ内腔側の部分１０１ａは、トレッドへ向かう方向（矢印Ｘ方向）へ移動させられ、外側（折り返し側）の部分１０１ｂは、前記タイヤ内腔側の部分１０１ａとは反対の方向（矢印Ｙ方向）へ移動させられる。したがって、このボディプライ１０１の移動に伴い、ビードコア１０５全体に対して回転力が作用する。
【０００４】
このため、図５に示すように、糸１０４の両端部１０４ａ，１０４ｂの巻き付け方向は、常に互いに逆向きになっている。このため、糸１０４を右巻き方向及び左巻き方向のいずれの方向に巻き付けても、前記回転力の作用によって、糸１０４の両端部１０４ａ，１０４ｂのうちの一方は巻き締められるが、他方は巻き戻される。したがって、糸１０４の両端部１０４ａ，１０４ｂのうちのいずれか一方の端部において、糸１０４の巻き付けが解け、ビードワイヤ１０３の一端部１０３ａ及び他端部１０３ｂのいずれか一方が跳ね上がり易くなるという危惧があった。
【０００５】
このため、従来は、前記糸１０４の一端部１０４ａまたは他端部１０４ｂが前記回転力の作用によって巻き戻される分を見込んで、糸１０４をビードワイヤ束２００に余分に巻き付けるようにしていた。
【０００６】
【特許文献１】
特開２０００−３５５０５６号公報（第２−４頁、第９図）
【０００７】
【発明が解決しようとする課題】
そして、ビードワイヤ束２００に糸１０４を余分に巻き付けると、そのための作業時間が余分にかかるとともに、糸１０４も余分に消費してしまうため、ビードコア１０５の製造コストが上昇してしまうという問題があった。それでもなお、ビードワイヤ束２００に糸１０４を余分に巻き付けても、糸１０４の一端部１０４ａまたは他端部１０４ｂが前記回転力の作用によって巻き戻されるおそれをなくすことはできなかった。
【０００８】
この発明は、このような従来の技術に存在する問題点に着目してなされたものである。その目的は、低コストで製造することができるとともに、より高品質のビードコア及びこれを用いた空気入りラジアルタイヤを提供することにある。
【０００９】
【課題を解決するための手段】
上記目的を達成するために、請求項１の発明においては、ビードワイヤの一端部と他端部とを含むように周方向の一部分に糸が巻着されているビードコアにおいて、前記糸の一端部を、同糸とビードワイヤ束との間に挟み込み、前記糸の他端部は、生タイヤの加硫時に、糸に作用する回転力によって巻き締まる方向となるように巻回されていることを要旨とするものである。
【００１０】
従って、生タイヤの加硫時に、ボディプライの移動に伴って前記糸に回転力が作用しても、前記糸の一端部は糸とビードワイヤ束との間に固定され、他端部はこの回転力の作用によって巻き締められるので、糸の両端部がこの回転力の作用によって巻き戻されるおそれをなくすことができる。このため、糸によって確実にビードワイヤの両端部を押さえることができ、ビードワイヤの一端部及び他端部のいずれか一方が跳ね上がるという危惧を解消することができる。このため、より高品質のビードコアを得ることができる。加えて、前記糸の両端部が巻き戻されるおそれがないので、糸をビードワイヤ束に余分に巻き付ける必要がなくなる。このため、糸をビードワイヤ束に余分に巻き付ける分の糸が不要となるとともに、糸をビードワイヤ束に余分に巻き付けるための作業時間が不要となるので、ビードコアを低コストで製造することができる。
【００１１】
請求項２に記載の発明においては、請求項１において、前記糸は、熱収縮性の合成繊維よりなることを要旨とするものである。
従って、生タイヤの加硫時の加熱によって前記糸が収縮し、この糸の収縮によりビードワイヤの両端部を一層強く押さえることができる。
【００１２】
請求項３に記載の発明においては、請求項１または２において、ビードワイヤの一端部と他端部との間の重複部分の長さは、１０〜２０ｍｍの範囲内であるとともに、糸の巻き付け部分の一端部と、それと近い方のビードワイヤの一端部との間の距離は、２０〜６０ｍｍの範囲内であることを要旨とするものである。
【００１３】
従って、ビードワイヤ束に巻き付ける糸の巻き付け分が従来よりも少なくて済み、ビードワイヤ束に巻き付ける糸を節約することができるとともに、ビードワイヤ束に糸を巻き付けるための作業時間を短縮することができる。
【００１４】
請求項４に記載の発明においては、請求項１〜３のいずれか一項において、前記糸とビードワイヤ束との間に挟み込まれている同糸の一端部の長さは、前記糸の巻き付けピッチよりも長く、前記糸の巻き付け幅の二分の一よりも短いことを要旨とするものである。
【００１５】
従って、前記糸とビードワイヤ束との間に挟み込む同糸の一端部の長さの幅を大きくすることができ、その寸法管理が容易になる。
請求項５に記載の発明においては、請求項１〜４のいずれか一項に記載のビードコアを用いた空気入りラジアルタイヤであることを要旨とするものである。
【００１６】
従って、低コストで製造することができるとともに、より高品質のビードコアを用いることで、空気入りラジアルタイヤの製造コストを低減させることができるとともに、その品質をより高めることができる。
【００１７】
【発明の実施の形態】
以下、本発明を具体化した実施形態を図１〜図３に基づいて説明する。
図１に示すように、この実施形態の空気入りラジアルタイヤ１１において、１２はトレッド部、１３はサイドウォール部、１４はビード部、１６はボディプライを示す。１７はスチールコードよりなる２枚のベルト、１８はベルト１７上のキャップベルトを示し、１９はショルダプライを示す。また、１５は車両のリム、１５ａはリムフランジを示す。
【００１８】
図１及び図２に示すように、前記両ビード部１４にはビードコア２０が埋設配置されており、このビードコア２０は、周囲がゴムで被覆された１本のビードワイヤ２１を連続巻回することによってほぼ断面六角形のビードワイヤ束３０が形成されている。また、各ビードコア２０のタイヤ外径側には硬質ゴムよりなる断面ほぼ三角形状のビードフィラー２３が添着配置されている。そして、ボディプライ１６の両端部がビードコア２０及びビードフィラー２３の外周面に沿って反転されて、ボディプライ１６によりビードコア２０が包被されている。なお、図２は、加硫時のビード部１４の動きを示し、ビード部１４、ボディプライ１６、ビードフィラー２３のみが描かれているが、この状態では、実際には、インナーライナー、サイドウォール、トレッド等を有する。
【００１９】
そして、図３に示すように、ゴム被覆されたビードワイヤ２１の一端部２１ａと他端部２１ｂとの重複部分Ｄを含むようにビードワイヤ束３０の周方向の一部分に、例えばビニロン等の熱収縮性の合成繊維よりなる糸２２が所定の巻き付けピッチで巻着されている。したがって、ビードコア２０は、ゴム被覆されたビードワイヤ２１と糸２２とによって構成されている。
【００２０】
前記糸２２の一端部２２ａは、同糸２２とビードワイヤ束３０との間に挟み込まれ、前記糸２２の他端部２２ｂは、生タイヤの加硫時に、糸２２に作用する回転力によって巻き締まる方向（矢印Ａ方向）となるように巻回されている。この場合、前記糸２２とビードワイヤ束３０との間に挟み込まれている同糸２２の一端部２２ａの長さは、前記糸２２の巻き付けピッチよりも長く、前記糸２２の巻き付け幅Ｅの二分の一よりも短い長さになっている。
【００２１】
さらに前記重複部分Ｄの長さは、１０〜２０ｍｍの範囲内であることが好ましい。加えて、糸２２の巻き付け部分４０の一端部と、それと近い方のビードワイヤ２１の一端部との間の距離Ｆは、２０〜６０ｍｍの範囲内であることが好ましい。
【００２２】
さて、図１及び図２に示すように、生タイヤを加硫する際には、加硫金型内の生タイヤの内部に圧力Ｐが加えられるとともに、矢印Ｃで示すように、ビード部１４間の間隔が狭められる。そして、この生タイヤの加硫時においては、前記圧力Ｐと、ビード部１４が狭められることによる相乗作用により、ボディプライ１６が移動させられる。すなわち、ビード部１４におけるボディプライ１６のタイヤ内腔側の部分１６ａは、トレッドへ向かう方向（矢印Ａ方向）へ移動させられ、外側（折り返し側）の部分１６ｂは、前記タイヤ内腔側の部分１６ａとは反対の方向（矢印Ｂ方向）へ移動させられる。したがって、このボディプライ１６の移動に伴い、ビードコア２０全体に対して回転力が作用する。
【００２３】
しかしながら、この場合、糸２２の一端部２２ａは糸２２とビードワイヤ束３０との間に固定され、他端部２２ｂはこの回転力の作用によって巻き締められるため、糸２２の両端部２２ａ，２２ｂが、この回転力によって巻き戻されるおそれはない。
【００２４】
以上詳述した実施形態によれば次のような効果が発揮される。
・  生タイヤの加硫時に、糸２２が巻き戻されるおそれをなくすことができる。このため、糸２２によって確実にビードワイヤ２１の両端部２１ａ，２１ｂを押さえることができ、ビードワイヤ２１の一端部２１ａ及び他端部２１ｂのいずれか一方が跳ね上がるという危惧を解消することができる。このため、より高品質のビードコアを得ることができる。加えて、前記糸２２の両端部２２ａ，２２ｂが巻き戻されるおそれがないので、糸２２をビードワイヤ束３０に余分に巻き付ける必要がなくなる。したがって、糸２２をビードワイヤ束３０に余分に巻き付ける分の糸２２が不要となるとともに、糸２２をビードワイヤ束３０に余分に巻き付けるための作業時間も不要となるので、ビードコア２０を低コストで製造することができる。
【００２５】
・  前記糸２２は、熱収縮性の合成繊維よりなるため、生タイヤの加硫時の加熱によって収縮する。この糸２２の収縮によりビードワイヤ２１の両端部２１ａ，２１ｂを一層強く押さえることができる。このため、ビードワイヤ２１の一端部２１ａ及び他端部２１ｂのいずれか一方が跳ね上がるという危惧を解消することができるので、より高品質のビードコアを得ることができる。
【００２６】
・  ビードワイヤ束３０に巻き付ける糸２２の巻き付け分が従来よりも少なくて済み、ビードワイヤ束３０に巻き付ける糸２２を節約することができるとともに、ビードワイヤ束３０に糸２２を巻き付けるための作業時間を短縮することができる。
【００２７】
・  前記糸２２とビードワイヤ束３０との間に挟み込まれている同糸２２の一端部２２ａの長さは、前記糸２２の巻き付けピッチよりも長く、前記糸２２の巻き付け幅Ｅの二分の一よりも短い長さになっている。このため、前記糸２２とビードワイヤ２１束との間に挟み込む同糸２２の一端部２２ａの長さの幅を大きくすることができ、その寸法管理が容易になる。
【００２８】
（変更例）
なお、前記実施形態を次のように変更して構成することもできる。
・  糸２２を、ビードワイヤ２１よりも細いとともに、その表面がメッキされた金属製のワイヤにすること。
【００２９】
【発明の効果】
以上、詳述したように本発明は、低コストで製造することができるとともに、より高品質のビードコア及びこれを用いた空気入りラジアルタイヤを提供することができる。
【図面の簡単な説明】
【図１】実施形態の空気入りラジアルタイヤを示す断面図。
【図２】図１のタイヤのビード部の拡大簡略断面図。
【図３】図２のビードコアの斜視図。
【図４】従来の空気入りラジアルタイヤのビード部の拡大簡略断面図。
【図５】従来のビードコアの斜視図。
【符号の説明】
１１…ラジアルタイヤ、１４…ビード部、１６…ボディプライ、２０…ビードコア、２１…ビードコアを構成するビードワイヤ、２１ａ…ビードワイヤの一端部、２１ｂ…ビードワイヤの他端部、２２…ビードコアを構成する糸、２２ａ…糸の一端部、２２ｂ…糸の他端部、３０…ビードワイヤ束、４０…糸の巻き付け部分、Ｄ…重複部分、Ｅ…巻き付け幅、Ｆ…距離。
【図１】
2004345537.tif 000003
【図２】
2004345537.tif 000004
【図３】
2004345537.tif 000005
【図４】
2004345537.tif 000006
【図５】
2004345537.tif 000007